(57)【要約】【課題】何らかの異常が発生した場合、住居人などに対して防犯センサを設置した場所を確実に提示することで、異常時における次の行動を迅速に促す。【解決手段】防犯センサ１０ｎは、何からの異常状態を検知したことに応じて、当該防犯センサ１０ｎが設置された場所を特定する画像を撮像し、撮像された画像を無線信号として送信し、防犯受信器２０は、無線信号を受信したことに応じて、異常状態となったことを報知するよう制御するとともに、無線信号として送信された画像を表示部２６を介して表示させるよう制御することで実現する。【選択図】図１
2008134717.tif 000002
【特許請求の範囲】
【請求項１】
何らかの異常状態を検知したことに応じて、検知信号を送信手段により無線信号として送信する防犯センサと、前記防犯センサによって無線信号として送信された検知信号を受信したことに応じて異常状態となったことを報知する防犯受信器とを備える防犯システムにおいて、
前記防犯センサは、何からの異常状態を検知したことに応じて、当該防犯センサが設置された場所を特定する画像を撮像する撮像手段と、
前記撮像手段によって撮像された画像を前記送信手段により無線信号として送信するよう制御する第１の制御手段とを有し、
前記防犯受信器は、画像を表示する表示手段と、
前記無線信号を受信したことに応じて、異常状態となったことを報知するよう制御するとともに、前記無線信号として送信された画像を前記表示手段を介して表示させるよう制御する第２の制御手段とを有すること
を特徴とする防犯システム。
【請求項２】
何らかの異常状態を検知したことに応じて、検知信号を送信手段により無線信号として送信する防犯センサと、前記防犯センサによって無線信号として送信された検知信号を受信したことに応じて異常状態となったことを報知する防犯受信器とを備える防犯システムにおいて、
前記防犯センサは、当該防犯センサを一意に特定する識別情報を記憶する第１の記憶手段と、
何らかの異常状態を検知したことに応じて、前記第１の記憶手段に記憶された識別情報を前記送信手段により無線信号として送信するよう制御する第１の制御手段とを有し、
前記防犯受信器は、画像を表示する表示手段と、
前記防犯センサを一意に特定する識別情報と、前記防犯センサを設置した場所を特定する画像とを対応付けて記憶する第２の記憶手段と、
前記無線信号を受信したことに応じて、異常状態となったことを報知するよう制御するとともに、前記無線信号として送信された識別情報に対応付けられた画像を前記第２記憶手段から読み出して前記表示手段を介して表示させるよう制御する第２の制御手段とを有すること
を特徴とする防犯システム。
【発明の詳細な説明】
【技術分野】
【０００１】
本発明は、何らかの異常状態を検知し、検知結果に応じた防犯処理を実行する防犯システムに関する。
【背景技術】
【０００２】
外部から建物内への不法な侵入を防止するために、扉、窓などに設置したワイヤレス防犯センサ（防犯センサ）と、侵入を検知した検知センサから送信されるワイヤレス信号を受信して警報を発するワイヤレス防犯受信器（防犯受信器）とを備えたワイヤレス防犯システム（防犯システム）が考案、実施されている（例えば、特許文献１参照。）。
【０００３】
【特許文献１】特開２００５−３３８９２０号公報
【発明の開示】
【発明が解決しようとする課題】
【０００４】
このようなワイヤレス防犯システムでは、監視エリア内に設置されたワイヤレス防犯センサが、異常を感知したことに応じてワイヤレス防犯受信器に感知信号を送信し、感知信号を受信したワイヤレス防犯受信器が、監視エリア毎に設けられた表示窓のうち、対応する表示窓を点灯あるいは点滅させ、警報音を鳴動させることにより、住居人などに知らせる構成となっている。
【０００５】
しかしながら、特許文献１で開示されているように、表示窓を点灯あるいは点滅させただけでは、監視エリアと表示窓との対応関係が分からないため、住居人は、どの表示窓がどの監視エリアと対応しているかを事前に記憶していない限り、どこで異常が検知されたかを正確に把握することができないといった問題がある。
【０００６】
つまり、特許文献１で開示されているようなワイヤレス防犯システムでは、住居人は、監視エリアと表示窓との対応関係を記憶していない場合、異常を生じたことは分かるが、どこで異常が生じたのかが分からないことになるため、異常時における次の行動を起こし難いといった問題がある。
【０００７】
そこで、本発明は、上述したような問題を解決するために案出されたものであり、何らかの異常が発生した場合、住居人などに対して防犯センサを設置した場所を確実に提示することで、異常時における次の行動を迅速に起こすことができる防犯システムを提供することを目的とする。
【課題を解決するための手段】
【０００８】
本発明の防犯システムは、何らかの異常状態を検知したことに応じて、検知信号を送信手段により無線信号として送信する防犯センサと、前記防犯センサによって無線信号として送信された検知信号を受信したことに応じて異常状態となったことを報知する防犯受信器とを備える防犯システムにおいて、前記防犯センサが、何からの異常状態を検知したことに応じて、当該防犯センサが設置された場所を特定する画像を撮像する撮像手段と、前記撮像手段によって撮像された画像を前記送信手段により無線信号として送信するよう制御する第１の制御手段とを有し、前記防犯受信器が、画像を表示する表示手段と、前記無線信号を受信したことに応じて、異常状態となったことを報知するよう制御するとともに、前記無線信号として送信された画像を前記表示手段を介して表示させるよう制御する第２の制御手段とを有することで、上述の課題を解決する。
【０００９】
本発明の防犯システムは、何らかの異常状態を検知したことに応じて、検知信号を送信手段により無線信号として送信する防犯センサと、前記防犯センサによって無線信号として送信された検知信号を受信したことに応じて異常状態となったことを報知する防犯受信器とを備える防犯システムにおいて、前記防犯センサが、当該防犯センサを一意に特定する識別情報を記憶する第１の記憶手段と、何らかの異常状態を検知したことに応じて、前記第１の記憶手段に記憶された識別情報を前記送信手段により無線信号として送信するよう制御する第１の制御手段とを有し、前記防犯受信器が、画像を表示する表示手段と、前記防犯センサを一意に特定する識別情報と、前記防犯センサを設置した場所を特定する画像とを対応付けて記憶する第２の記憶手段と、前記無線信号を受信したことに応じて、異常状態となったことを報知するよう制御するとともに、前記無線信号として送信された識別情報に対応付けられた画像を前記第２記憶手段から読み出して前記表示手段を介して表示させるよう制御する第２の制御手段とを有することで、上述の課題を解決する。
【発明の効果】
【００１０】
本発明によれば、何らかの異常が発生した場合、住居人などに対して防犯センサを設置した場所を、防犯受信器の表示手段を介して画像として確実に提示することができるため、異常時における次の行動を迅速に起こすことを可能とする。
【００１１】
また、請求項２によれば、特に、防犯センサに撮像手段を必要としないことから低コスト化を可能とし、プライバシーの保護を図ることも可能とする。
【発明を実施するための最良の形態】
【００１２】
以下、本発明の実施の形態について図面を参照して説明する。
【００１３】
［第１の実施の形態］
まず、図１を用いて、本発明の第１の実施の形態として示す防犯システム１について説明をする。防犯システム１は、検知センサである複数の防犯センサ１０ｎ（ｎは、自然数）と、防犯センサ１０ｎと所定の周波数帯域を利用して双方向に無線通信することができる防犯受信器２０とを備えている。
【００１４】
防犯センサ１０ｎは、防犯受信器２０に無線信号を送信し、防犯受信器２０から送信される無線信号を受信するアンテナ１１、無線送受信部１２と、当該防犯センサ１０ｎを統括的に制御する制御部１３と、侵入者を検知するセンサ部１４と、ＣＣＤ撮像素子やレンズなどの光学系を備えた撮像部１５とを備えている。
【００１５】
このような構成の防犯センサ１０ｎは、小型形状をしており図示しない電池などの電源を内蔵しているため、住宅をはじめとする様々な建物内外のあらゆる場所に設置可能となっている。防犯センサ１０ｎが設置される場所は、センサ部１４のセンシング方式によって決定される。
【００１６】
センサ部１４は、防犯システム１で防犯管理している建物内、建物周囲領域内へ不当に侵入した侵入者の存在といった、管理管轄領域内での何らかの異常状態を検知することができる検知センサであり、例えば、窓や扉（ドア）の開閉を検知することで侵入者の存在を間接的に検知するマグネットセンサ（開閉センサ）や、物体の温度と人の温度との温度差を検出することで侵入者の存在を直接的に検知する熱線センサなどを利用することができる。
【００１７】
このように、防犯センサ１０ｎは、センサ部１４としてマグネットセンサが使用されている場合には、窓や扉（ドア）などに設置され、熱線センサが使用されている場合には、建物の壁や天井などに設置されることになる。
【００１８】
撮像部１５は、防犯センサ１０ｎが、設置された場所を特定することができるような画像を撮像するようにする。具体的には、撮像部１５は、防犯センサ１０ｎが、住居内の所定の部屋内に設置された場合に、設置された部屋であることを一瞥して視認することができるような特徴のある画像を撮像することになる。したがって、撮像部１５は、ユーザによって撮像方向を任意に調整できるような可動式となっていることが望ましい。
【００１９】
制御部１３は、センサ部１４によって、防犯システム１の管理管轄領域内へ不当に侵入した侵入者の存在が検知されたことに応じて、撮像部１５による撮像を開始するよう制御し、さらに、無線送受信部１２を制御して、何らかの異常を検知した旨を通知するための検知信号と撮像された画像とを重畳した無線信号をアンテナ１１を介して防犯受信器２０に送信する。
【００２０】
このとき、制御部１３は、電波妨害などによって、防犯受信器２０に無線信号を送信することができない場合を想定して、所定の回数だけ、無線信号を繰り返し送信する。これにより、防犯センサ１０ｎの侵入者検知機能の信頼性を高めることができる。
【００２１】
図１に示すように、防犯受信器２０は、防犯センサ１０ｎに無線信号を送信し、防犯センサ１０ｎから送信される無線信号を受信するアンテナ２１、無線送受信部２２と、当該防犯受信器２０を統括的に制御する制御部２３と、制御部２３で実行されるプログラムや各種データなどを記憶したデータ記憶部２４と、表示処理部２５によって処理された画像や文字情報などを表示させる表示部２６と、防犯センサ１０ｎから送信された検知信号を重畳された無線信号を受信したことに応じて音声処理部２７によって処理された音声を出力して鳴動し、周囲にいる人に対して、侵入者が検知されたことを報知するスピーカ２８とを備える。また、防犯受信器２０は、外部音声を入力するマイク２９を備えていてもよく、音声処理部２７によって音声処理することで音声認識による動作を実現する。
【００２２】
このような構成の防犯受信器２０は、防犯センサ１０ｎに較べて大型な装置となっており、例えば、建物内の所定の場所に、表示部２６を視認し易い位置に固定的に設置されることになる。したがって、電源は、固定電源を使用する。
【００２３】
表示部２６は、画像や文字情報を表示することができる、例えば、ＬＣＤ（Liquid Crystal Display：液晶ディスプレイ）などである。表示部２６は、防犯センサ１０ｎから送信された無線信号を受信した場合、制御部２３の制御に応じた表示処理部２５の処理により、無線信号に重畳された画像を表示させる。これにより、表示部２６は、何らかの異常状態を検知した防犯センサ１０ｎが設置された位置を画像として視覚的に提示する。
【００２４】
防犯受信器２０は、検知エリア毎に切モード、報知モード、警戒モードといった防犯受信器２０の動作モードである監視モードを設定することができる。
【００２５】
例えば、検知エリアを切モードに設定すると、この検知エリアに設置された防犯センサ１０ｎから送信される検知信号、画像を重畳された無線信号を受信したとしても報知、通報がなされない。また、検知エリアを報知モードにすると、この検知エリアに設置された防犯センサ１０ｎから送信される画像、検知信号を重畳された無線信号を受信したことに応じて、表示部２６、スピーカ２８でそれぞれ無線信号に重畳された画像の表示や、報知音の発報がなされる。さらに、検知エリアを警戒モードにすると、この検知エリアに設置された防犯センサ１０ｎから送信される画像、検知信号を重畳された無線信号を受信したことに応じて、表示部２６、スピーカ２８でそれぞれ無線信号に重畳された画像の表示や、警報音（警報メッセージ）の発報がなされる。
【００２６】
［防犯システム１の処理動作］
続いて、図２に示すタイミングチャートを用いて、防犯システム１の処理動作について説明をする。
【００２７】
ステップＳ１において、防犯受信器２０は、防犯センサ１０ｎから送信される無線信号を待機するアイドル状態となっている。
【００２８】
ステップＳ２において、防犯センサ１０ｎは、センサ部１４に電源供給がなされ、センサ部１４による検知エリア内への侵入者のセンシング機能のみが機能しているスリープ状態となっている。
【００２９】
ステップＳ３において、防犯センサ１０ｎの制御部１３は、センサ部１４によって侵入者が検知されたかどうかを判断する。制御部１３は、侵入者が検知された場合には、ステップＳ４へと処理を進める一方、侵入者が検知されない場合にはステップＳ２へと処理を戻し、上述したスリープ状態を継続する。
【００３０】
ステップＳ４において、防犯センサ１０ｎの制御部１３は、撮像部１５を制御して、画像の撮像を開始する。
【００３１】
ステップＳ５において、防犯センサ１０ｎの制御部１３は、撮像部１５で撮像された画像、検知信号、コマンドを重畳した無線信号を生成して防犯受信器２０に送信する。
【００３２】
ステップＳ６において、防犯受信器２０の制御部２３は、防犯センサ１０ｎから送信される無線信号を受信したかどうかを判断する。制御部２３は、無線信号を受信した場合には、ステップＳ７へと処理を進める一方、無線信号を受信できなかった場合には、ステップＳ１へと戻り無線信号の受信を待機するアイドル状態を継続する。
【００３３】
ステップＳ７において、防犯受信器２０の制御部２３は、無線信号を受信したことに応じて、無線信号に重畳されているコマンドを読み出し、コマンドを解析する。
【００３４】
ステップＳ８において、防犯受信器２０の制御部２３は、コマンド解析結果から、無線信号に重畳された検知信号に応じてスピーカ２８を鳴動させるように制御させるとともに、無線信号に重畳された画像を表示処理部２５により表示処理を施して表示部２６を介して表示させるよう制御する。これにより、何らかの異常状態を検知した防犯センサ１０ｎが設置された場所を特定する画像が、表示部２６を介してユーザに提示される。
【００３５】
［第１の実施の形態の効果］
このように、本発明の第１の実施の形態として示す防犯システム１は、何らかの異常状態を検知した防犯センサ１０ｎによって、当該防犯センサ１０ｎの設置された場所を特定する画像を撮像して防犯受信器２０に無線信号として送信し、無線信号を受信した防犯受信器２０の表示部２６を介して送信された画像を表示させる。
【００３６】
これにより、何らかの異常が発生した場合、住居人などに対して防犯センサ１０ｎを設置した場所を、防犯受信器２０の表示部２６を介して画像として確実に提示することができるため、異常時における次の行動を迅速に起こすことを促すことができる。
【００３７】
［第２の実施の形態］
続いて、図３を用いて、本発明の第２の実施の形態として示す防犯システム２について説明をする。図３に示すように、第２の実施の形態として示す防犯システム２は、図１を用いて説明した第１の実施の形態として示す防犯システム１の防犯センサ１０ｎと防犯受信器２０とに替えて、複数の防犯センサ１０Ａｎ（ｎは、自然数）と防犯受信器２０Ａとを備えた構成となっている。
【００３８】
なお、防犯センサ１０Ａｎ、防犯受信器２０Ａは、上述した本発明の第１の実施の形態として示す防犯システム１の防犯センサ１０ｎ、防犯受信器２０の機能を変更したり、機能を付加しただけでありほぼ同じ構成であるため、重複する個所には、同一番号を付して説明を省略する。
【００３９】
防犯センサ１０Ａｎは、アンテナ１１と、無線送受信部１２と、制御部１３と、センサ部１４と、少なくとも当該防犯センサ１０Ａｎを一意に特定する識別情報を記憶しているデータ記憶部１６とを備えている。
【００４０】
制御部１３は、センサ部１４によって、防犯システム１の管理管轄領域内へ不当に侵入した侵入者の存在が検知されたことに応じて、データ記憶部１６に記憶されている当該防犯センサ１０Ａｎを一意に特定する識別情報を読み出し、さらに、無線送受信部１２を制御して、何らかの異常を検知した旨を通知するための検知信号と読み出した識別情報を重畳した無線信号をアンテナ１１を介して防犯受信器２０Ａに送信する。
【００４１】
このとき、制御部１３は、電波妨害などによって、防犯受信器２０Ａに無線信号を送信することができない場合を想定して、所定の回数だけ、無線信号を繰り返し送信する。これにより、防犯センサ１０Ａｎの侵入者検知機能の信頼性を高めることができる。
【００４２】
図３に示すように、防犯受信器２０Ａは、アンテナ２１と、無線送受信部２２と、制御部２３と、防犯システム２を構成する全ての防犯センサ１０Ａｎの識別情報を記憶したデータ記憶部２４と、表示処理部２５と、表示部２６と、音声処理部２７と、スピーカ２８と、マイク２９とを備えている。
【００４３】
データ記憶部２４は、防犯システム２を構成する防犯センサ１０Ａｎの全ての識別情報を、防犯センサ１０Ａｎを設置した場所を特定することができる画像に対応付けて記憶している。
【００４４】
これにより、防犯センサ１０Ａｎから送信された無線信号より取得される識別情報から、データ記憶部２４に対応付けられた画像を取得し、表示部２６を介してユーザに提示することで、何らかの異常を検知した防犯センサ１０Ａｎが設置された場所を特定することができる。
【００４５】
制御部２３は、防犯センサ１０Ａｎから送信され、アンテナ２１、無線送受信部２２を介して無線信号が受信されたことに応じて、無線信号に重畳されている識別情報と、データ記憶部２４に記憶されている防犯センサ１０Ａｎを一意に特定する識別情報とを比較照合するＩＤ照合部２３Ａを備えている。制御部２３は、ＩＤ照合部２３Ａによる識別情報の比較照合結果に応じて、データ記憶部２４に識別情報と対応付けて記憶されている防犯センサ１０Ａｎを設置した場所を特定する画像を読み出すとともに、スピーカ２８を鳴動させる。そして、制御部２３は、読み出した画像で特定される何らかの異常を検知した防犯センサ１０Ａｎが設置された場所を表示部２６を介してユーザに提示する。
【００４６】
［防犯システム２の処理動作］
続いて、図４に示すタイミングチャートを用いて、防犯システム２の処理動作について説明をする。
【００４７】
ステップＳ１１において、防犯受信器２０Ａは、防犯センサ１０Ａｎから送信される無線信号を待機するアイドル状態となっている。
【００４８】
ステップＳ１２において、防犯センサ１０Ａｎは、センサ部１４に電源供給がなされ、センサ部１４による検知エリア内への侵入者のセンシング機能のみが機能しているスリープ状態となっている。
【００４９】
ステップＳ１３において、防犯センサ１０Ａｎの制御部１３は、センサ部１４によって侵入者が検知されたかどうかを判断する。制御部１３は、侵入者が検知された場合には、ステップＳ１４へと処理を進める一方、侵入者が検知されない場合にはステップＳ１２へと処理を戻し、上述したスリープ状態を継続する。
【００５０】
ステップＳ１４において、防犯センサ１０Ａｎの制御部１３は、センサ部１４により侵入者が検知されたことに応じて、データ記憶部１６から識別情報を読み出し、読み出した識別情報、検知信号、コマンドを重畳した無線信号を生成して防犯受信器２０Ａに送信する。
【００５１】
ステップＳ１５において、防犯受信器２０Ａの制御部２３は、防犯センサ１０Ａｎから送信される無線信号を受信したかどうかを判断する。制御部２３は、無線信号を受信した場合には、ステップＳ１６へと処理を進める一方、無線信号を受信できなかった場合には、ステップＳ１１へと戻り無線信号の受信を待機するアイドル状態を継続する。
【００５２】
ステップＳ１６において、防犯受信器２０の制御部２３は、無線信号を受信したことに応じて、無線信号に重畳されているコマンドを読み出し、コマンドを解析する。
【００５３】
ステップＳ１７において、防犯受信器２０Ａの制御部２３は、無線信号から取得した識別情報に対応付けられた防犯センサ１０Ａｎが設置された場所を特定する画像をデータ記憶部２４から読み出す。
【００５４】
ステップＳ１８において、防犯受信器２０Ａの制御部２３は、コマンド解析結果から、無線信号に重畳された検知信号に応じてスピーカ２８を鳴動させるように制御させるとともに、データ記憶部２４から読み出した画像を表示部２６を介してユーザに提示する。
【００５５】
［第２の実施の形態の効果］
このように、本発明の第２の実施の形態として示す防犯システム２は、何らかの異常状態を検知した防犯センサ１０Ａｎによって、当該防犯センサ１０Ａｎを一意に特定する識別情報を無線信号として送信し、無線信号を受信した防犯受信器２０Ａが、データ記憶部２４に識別情報と対応付けて記憶されている防犯センサ１０Ａｎを設置した場所を特定する画像を読み出して表示部２６を介して表示させる。
【００５６】
これにより、何らかの異常が発生した場合、住居人などに対して防犯センサ１０Ａｎを設置した場所を、防犯受信器２０Ａの表示部２６を介して画像として確実に提示することができるため、異常時における次の行動を迅速に起こすことを促すことができる。
【００５７】
また、防犯システム２の防犯センサ１０Ａｎは、防犯システム１の防犯センサ１０のように、特に撮像部１５を必要としないことから低コストで実現することができる。また、防犯センサ１０Ａｎは、特に撮像部１５を必要としないことから、撮像されたくない場面を撮像してしまうことがないためプライバシーの保護を図ることもできる。
【００５８】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５９】
【図１】本発明の第１の実施の形態として示す防犯システムの構成について説明するための図である。
【図２】前記防犯システムの処理動作について説明するためのタイミングチャートである。
【図３】本発明の第２の実施の形態として示す防犯システムの構成について説明するための図である。
【図４】前記防犯システムの処理動作について説明するためのタイミングチャートである。
【符号の説明】
【００６０】
１  防犯システム
２  防犯システム
１０Ａｎ  防犯センサ
１０ｎ  防犯センサ
１３  制御部
１４  センサ部
１５  撮像部
１６  データ記憶部
２０  防犯受信器
２０Ａ  防犯受信器
２３  制御部
２３Ａ  ＩＤ照合部
２４  データ記憶部
２５  表示処理部
２６  表示部
【図１】
2008134717.tif 000003
【図２】
2008134717.tif 000004
【図３】
2008134717.tif 000005
【図４】
2008134717.tif 000006